(57)【要約】【課題】撮影作業を効率よく行うことが可能な眼科撮影システムを提供する。【解決手段】眼科撮影システムは、互いに通信可能な眼底カメラ１とコンピュータ３０を備える。眼底カメラ１は、眼底Ｅｆに照明光を投射する照明光学系１００と、照明光の眼底反射光を受光して撮影信号を出力する撮像装置９、１０を含む撮影光学系１２０と、フィルタ変更操作部３ｂと、操作部１５とを有する。コンピュータ３０は、各撮像装置９、１０からの撮影信号に基づく眼底画像を表示する表示部３３と、制御部３１を有する。眼底カメラ１は、フィルタ変更操作部３ｂ等が操作されると、コンピュータ３０に操作信号を送信する。制御部３１は、この操作信号に基づいて表示部３３に情報を表示させる。たとえば、フィルタ変更操作部３ｂにより光学フィルタが変更されると、変更後の光学フィルタに対応する撮影種別情報を表示する。【選択図】図１
2008035944.tif 000002
【特許請求の範囲】
【請求項１】
被検者の眼底に照明光を投射する照明光学系と、前記照明光の眼底反射光を受光して撮影信号を出力する撮影手段を含む撮影光学系とを有する眼底カメラと、
前記眼底カメラと異なる筐体を有し、前記眼底カメラと通信可能に接続され、前記撮影手段から出力される撮影信号に基づく眼底画像を表示する表示手段を有するコンピュータと、
を含む眼科撮影システムであって、
前記眼底カメラは、操作手段を備え、
前記コンピュータは、前記操作手段による操作に対応して前記眼底カメラから送信される操作信号に基づく情報を前記表示手段に表示させる制御手段とを備える、
ことを特徴とする眼科撮影システム。
【請求項２】
前記眼底カメラの前記照明光学系及び／又は前記撮影光学系は、前記操作手段による操作に対応して光路上に挿入される光学フィルタを備え、
前記コンピュータの前記制御手段は、前記操作信号に基づいて、前記光路上に挿入された前記光学フィルタに対応する撮影種別を示す撮影種別情報を前記情報として前記表示手段に表示させる、
ことを特徴とする請求項１に記載の眼科撮影システム。
【請求項３】
前記眼底カメラの前記照明光学系及び／又は前記撮影光学系は、前記操作手段による操作に対応して光路上に選択的に挿入される複数の前記光学フィルタを備え、
前記コンピュータの前記制御手段は、前記複数の光学フィルタのそれぞれに撮影種別を関連付けた関連情報をあらかじめ記憶した記憶手段を備え、前記操作信号に基づいて、前記選択的に挿入された光学フィルタに関連付けられた撮影種別を前記関連情報から選択し、該選択された撮影種別を示す前記撮影種別情報を前記表示手段に表示させる、
ことを特徴とする請求項２に記載の眼科撮影システム。
【請求項４】
前記関連情報は、前記複数の光学フィルタのそれぞれと、前記撮影手段の設定状態を示す撮影設定情報とを関連付け、
前記コンピュータの前記制御手段は、前記操作信号に基づいて、前記選択的に挿入された光学フィルタに関連付けられた撮影設定情報を前記関連情報から選択し、該選択された撮影設定情報を前記眼底カメラに送信し、
前記眼底カメラは、前記送信された撮影設定情報に基づいて、前記撮影手段の設定状態を変更する、
ことを特徴とする請求項３に記載の眼科撮影システム。
【請求項５】
前記眼底カメラの前記撮影手段は、二以上の撮像装置を含み、
前記関連情報は、前記複数の光学フィルタのそれぞれに対し、前記二以上の撮像装置のうちの一の撮像装置の識別情報を前記撮影設定情報として関連付け、
前記眼底カメラは、前記制御手段により送信された撮影設定情報に示す識別情報によって識別される撮像装置により撮影を行う、
ことを特徴とする請求項４に記載の眼科撮影システム。
【請求項６】
前記関連情報は、前記複数の光学フィルタのそれぞれに対し、前記眼底カメラの前記撮影手段の撮影感度及び／又は撮影画素数を前記撮影設定情報として関連付け、
前記眼底カメラは、前記制御手段により送信された撮影設定情報に示す撮影感度及び／又は撮影画素数に前記撮影手段の設定を変更して撮影を行う、
ことを特徴とする請求項４に記載の眼科撮影システム。
【請求項７】
前記眼底カメラは、前記操作手段により撮影画角の設定、前記照明光の光量の設定又は左眼／右眼の設定がなされたときに、当該設定の情報を含む操作信号を送信し、
前記コンピュータの前記制御手段は、該送信された操作信号に含まれる前記設定の情報に基づいて、前記操作手段により設定された撮影画角、前記照明光の光量又は左眼／右眼を示す情報を前記表示手段に表示させる、
ことを特徴とする請求項１に記載の眼科撮影システム。
【請求項８】
前記眼底カメラは、被検者識別情報を表示する手段を備え、前記操作手段により前記表示される被検者識別情報が変更されたことに対応し、当該変更後の被検者識別情報を含む操作信号を送信し、
前記コンピュータの前記制御手段は、複数の被検者のそれぞれについての検査情報を記憶する記憶手段を備え、前記送信された操作信号に含まれる被検者識別情報に基づいて、前記記憶手段から検査情報を選択し、該選択された検査情報を前記表示手段に表示させる、
ことを特徴とする請求項１に記載の眼科撮影システム。
【発明の詳細な説明】
【技術分野】
【０００１】
この発明は、被検眼の画像を撮影する眼科撮影システムに関する。
【背景技術】
【０００２】
近年、医用画像の電子化が進展を見せている。特に眼科分野においては、多数の画像を診断に利用するという特性から、放射線画像分野などと並んで電子化によるメリットが比較的大きいと考えられている。
【０００３】
眼科撮影システムは、一般に、眼科撮影装置とコンピュータとを接続して構成される。眼科撮影装置としては、眼底カメラ、スリットランプ、ＯＣＴ（Ｏｐｔｉｃａｌ  Ｃｏｈｅｒｅｎｃｅ  Ｔｏｍｏｇｒａｐｈｙ）などが知られている。また、これらの眼科撮影装置に接続されるコンピュータとしては、眼科撮影装置の設定操作に用いられるものや、撮影画像の画像データを格納するものなどが用いられる。
【０００４】
下記の特許文献１には、眼底カメラと設定用のコンピュータとを接続した形態の眼科撮影システムが開示されている。この眼科撮影システムは、次のような眼底カメラの設定操作をコンピュータ側にて行うとともに、これらの設定内容をコンピュータ側にて一元管理するように構成されている：（１）撮影種別（カラー撮影、可視蛍光撮影、赤外蛍光撮影等）の設定；（２）撮像素子（ＣＣＤ）の撮影感度の設定；（３）撮影画像の解像度の設定；（３）カラー画像／モノクロ画像の設定；（４）照明光量の設定；（５）画像データの圧縮率の設定；（６）撮影間隔の設定。
【０００５】
【特許文献１】特開２００５−６８９４号公報
【発明の開示】
【発明が解決しようとする課題】
【０００６】
このような従来の眼科撮影システムは、撮影情報の管理においては有効性を発揮するものではあるが、以下に説明するように撮影の効率性の面において問題があると考えられる。
【０００７】
画像撮影システムを運用する際、検者は眼科撮影装置を挟んで被検者に対峙して位置している。コンピュータは、たとえば特許文献１の図２にも示すように、被検者に対峙した状態の被検者の横位置に設置されるのが一般的である。検者は、被検者側、すなわち眼科撮影装置側を向いた状態で画像撮影を行う。撮影画像は、眼科撮影装置やコンピュータの表示装置に表示される。
【０００８】
当該被検者の撮影が終了して次の被検者の撮影に移行するときや、当該被検者に対して別の撮影種別を実施するときなどには、検者は、眼科撮影装置側を向いている状態からコンピュータ側に向きを変え、更にキーボードやマウスを操作して眼科撮影装置の設定を変更する必要がある。従来の眼科撮影システムでは、設定変更の度毎にこのような動作を検者が行っているため、撮影作業の効率化を図ることが困難である。
【０００９】
特に、複数の被検者の撮影を入れ替わり立ち替わり行う場合（このようなケースは日常的に発生する）には、眼科撮影装置の設定を頻繁に変更する必要があるので、撮影の効率性が大きく低下するおそれがある。
【００１０】
この発明は、以上のような事情に鑑みてなされたもので、撮影作業を効率よく行うことが可能な眼科撮影システムを提供することを目的とする。
【課題を解決するための手段】
【００１１】
上記目的を達成するために、請求項１に記載の発明は、被検者の眼底に照明光を投射する照明光学系と、前記照明光の眼底反射光を受光して撮影信号を出力する撮影手段を含む撮影光学系とを有する眼底カメラと、前記眼底カメラと異なる筐体を有し、前記眼底カメラと通信可能に接続され、前記撮影手段から出力される撮影信号に基づく眼底画像を表示する表示手段を有するコンピュータと、を含む眼科撮影システムであって、前記眼底カメラは、操作手段を備え、前記コンピュータは、前記操作手段による操作に対応して前記眼底カメラから送信される操作信号に基づく情報を前記表示手段に表示させる制御手段とを備える、ことを特徴とする。
【００１２】
また、請求項２に記載の発明は、請求項１に記載の眼科撮影システムであって、前記眼底カメラの前記照明光学系及び／又は前記撮影光学系は、前記操作手段による操作に対応して光路上に挿入される光学フィルタを備え、前記コンピュータの前記制御手段は、前記操作信号に基づいて、前記光路上に挿入された前記光学フィルタに対応する撮影種別を示す撮影種別情報を前記情報として前記表示手段に表示させる、ことを特徴とする。
【００１３】
また、請求項３に記載の発明は、請求項２に記載の眼科撮影システムであって、前記眼底カメラの前記照明光学系及び／又は前記撮影光学系は、前記操作手段による操作に対応して光路上に選択的に挿入される複数の前記光学フィルタを備え、前記コンピュータの前記制御手段は、前記複数の光学フィルタのそれぞれに撮影種別を関連付けた関連情報をあらかじめ記憶した記憶手段を備え、前記操作信号に基づいて、前記選択的に挿入された光学フィルタに関連付けられた撮影種別を前記関連情報から選択し、該選択された撮影種別を示す前記撮影種別情報を前記表示手段に表示させる、ことを特徴とする。
【００１４】
また、請求項４に記載の発明は、請求項３に記載の眼科撮影システムであって、前記関連情報は、前記複数の光学フィルタのそれぞれと、前記撮影手段の設定状態を示す撮影設定情報とを関連付け、前記コンピュータの前記制御手段は、前記操作信号に基づいて、前記選択的に挿入された光学フィルタに関連付けられた撮影設定情報を前記関連情報から選択し、該選択された撮影設定情報を前記眼底カメラに送信し、前記眼底カメラは、前記送信された撮影設定情報に基づいて、前記撮影手段の設定状態を変更する、ことを特徴とする。
【００１５】
また、請求項５に記載の発明は、請求項４に記載の眼科撮影システムであって、前記眼底カメラの前記撮影手段は、二以上の撮像装置を含み、前記関連情報は、前記複数の光学フィルタのそれぞれに対し、前記二以上の撮像装置のうちの一の撮像装置の識別情報を前記撮影設定情報として関連付け、前記眼底カメラは、前記制御手段により送信された撮影設定情報に示す識別情報によって識別される撮像装置により撮影を行う、ことを特徴とする。
【００１６】
また、請求項６に記載の発明は、請求項４に記載の眼科撮影システムであって、前記関連情報は、前記複数の光学フィルタのそれぞれに対し、前記眼底カメラの前記撮影手段の撮影感度及び／又は撮影画素数を前記撮影設定情報として関連付け、前記眼底カメラは、前記制御手段により送信された撮影設定情報に示す撮影感度及び／又は撮影画素数に前記撮影手段の設定を変更して撮影を行う、ことを特徴とする。
【００１７】
また、請求項７に記載の発明は、請求項１に記載の眼科撮影システムであって、前記眼底カメラは、前記操作手段により撮影画角の設定、前記照明光の光量の設定又は左眼／右眼の設定がなされたときに、当該設定の情報を含む操作信号を送信し、前記コンピュータの前記制御手段は、該送信された操作信号に含まれる前記設定の情報に基づいて、前記操作手段により設定された撮影画角、前記照明光の光量又は左眼／右眼を示す情報を前記表示手段に表示させる、ことを特徴とする。
【００１８】
また、請求項８に記載の発明は、請求項１に記載の眼科撮影システムであって、前記眼底カメラは、被検者識別情報を表示する手段を備え、前記操作手段により前記表示される被検者識別情報が変更されたことに対応し、当該変更後の被検者識別情報を含む操作信号を送信し、前記コンピュータの前記制御手段は、複数の被検者のそれぞれについての検査情報を記憶する記憶手段を備え、前記送信された操作信号に含まれる被検者識別情報に基づいて、前記記憶手段から検査情報を選択し、該選択された検査情報を前記表示手段に表示させる、ことを特徴とする。
【発明の効果】
【００１９】
この発明に係る眼科撮影システムは、眼底カメラの操作手段が操作されたことに対応し、眼底カメラがコンピュータに操作信号を送信するとともに、コンピュータの制御手段が、この操作信号に基づいて表示手段に情報を表示するように作用するので、当該情報を表示させるためにコンピュータを操作する必要がない。したがって、この発明に係る眼科撮影システムによれば、眼底カメラによる撮影作業を効率よく行うことができる。
【発明を実施するための最良の形態】
【００２０】
この発明に係る眼科撮影システムの好適な実施の形態について、図面を参照しながら詳細に説明する。この眼科撮影システムは、
【００２１】
［システム構成］
この実施形態に係る眼科撮影システムの全体構成の一例を図１に示す。同図に示す眼科撮影システムは、眼底画像を撮影するための眼底カメラ１と、コンピュータ３０とを含んで構成される。眼底カメラ１とコンピュータ３０は、それぞれ異なる筐体を有している。以下、眼底カメラ１及びコンピュータ３０の構成をそれぞれ説明する。
【００２２】
［眼底カメラの構成］
眼底カメラ１の構成について、図１〜図５を参照しながら説明する。ここで、図２は眼底カメラ１の外観構成の一例を示している。また、図３〜図５は眼底カメラ１の光学系の構成の一例を示している。
【００２３】
眼底カメラ１は、図２に示すように、ベース２上に前後左右方向（水平方向）にスライド可能に搭載された架台３を備えている。架台３には、検者が各種操作を行うための操作パネル３ａとジョイスティック４が設置されている。
【００２４】
操作パネル３ａは、眼底カメラ１や当該眼科撮影システムの各種の操作を行う際にオペレータ（検者）によって操作される。操作パネル３ａは、この発明の「操作手段」の一例に相当するものである。操作パネル３ａには、図１に示すように、表示部１４と操作部１５が設けられている。
【００２５】
表示部１４は、制御部１１による制御にしたがって、各種の画面や情報を表示する。この表示部１４は、たとえばＬＣＤ（Ｌｉｑｕｉｄ  Ｃｒｙｓｔａｌ  Ｄｉｓｐｌａｙ）等の任意の表示デバイスによって構成される。操作部１５には、たとえば撮影画角（撮影倍率）の設定操作、照明光量の設定操作、被検者の選択操作などの各種操作を行うために操作されるボタンやキー等が設けられている。
【００２６】
また、検者は、ジョイスティック４を操作することによって、架台３をベース２上において３次元的に移動させることができる。このジョイスティック４の頂部には、眼底を撮影するときに押下される操作ボタン４ａが配設されている。
【００２７】
ベース２上には支柱５が立設されている。この支柱５には、被検者の顎部を載置するための顎受け６ａと、被検者の額が当接される額当て６ｂと、被検眼Ｅを固視させるための光を発する外部固視灯７が設けられている。
【００２８】
架台３上には、眼底カメラ１の各種の光学系や制御系を格納する本体部８が搭載されている。なお、制御系は、ベース２や架台３の内部等に設けられていることもあるし、眼底カメラ１に接続されたコンピュータ３０等の外部装置に設けられていることもある。
【００２９】
本体部８の側面には、眼底撮影に使用するフィルタを切り替えるためのフィルタ変更操作部３ｂが設けられている。フィルタ変更操作部３ｂは、この発明の「操作手段」の一例に相当する。
【００３０】
フィルタ変更操作部３ｂは、たとえば回転可能に形成されたノブによって構成される。フィルタ変更操作部３ｂを所望の位置まで回転させると、その回転位置に応じて後述のフィルタ部１０５、１２２に設けられた複数のフィルタのうちの所望の一つが光路上に配置される。また、フィルタ変更操作部３ｂを操作することにより、全てのフィルタを光路上から退避させることもできるし、フィルタ部１０５、１２２のいずれか一方における一つのフィルタを光路上に配置させつつ、他方における全てのフィルタを光路上から退避させることもできる。
【００３１】
フィルタ変更操作部３ｂが操作されると、その操作結果に応じた信号が制御部１１に入力される。具体例としては、上記のようにフィルタ変更操作部３ｂがノブにより構成される場合、その回転位置を検出して制御部１１に信号を入力するエンコーダをフィルタ変更操作部３ｂに設ける。
【００３２】
本体部８の被検眼Ｅ側（図２の紙面左方向）には、被検眼Ｅに対峙して配置される対物レンズ部８ａが設けられている。また、本体部８の検者側（図２の紙面右方向）には、被検眼Ｅの眼底を肉眼観察するための接眼レンズ部８ｂが設けられている。
【００３３】
更に、本体部８には、被検眼Ｅの眼底画像を撮影するための二つの撮像装置９、１０が設けられている。撮像装置９、１０は、それぞれ本体部８に対して着脱可能に形成されている。
【００３４】
各撮像装置９、１０は、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等の撮像素子９ａ、１０ａを搭載したデジタルカメラである。各撮像装置９、１０は、その撮影画像のデータ（撮影信号）をそれぞれ接続線Ｌ１、Ｌ２を通じてコンピュータ３０に送信する。コンピュータ３０は、この撮影信号に基づいて撮影画像を表示したり、データベース化して保管するなどの処理を行う。撮像装置９、１０は、この発明の「撮影手段」の一例として機能する。
【００３５】
撮像装置９、１０は、たとえば異なる波長領域の光を受光する撮像素子９ａ、１０ａを具備している。この実施形態では、撮像装置９の撮像素子９ａは可視領域の光を受光するものとし、撮像装置１０の撮像素子１０ａは可視領域及び赤外領域の光を受光するものとする。
【００３６】
また、撮像装置９の撮像素子９ａはカラー撮影に用いられるものとし、撮像装置１０の撮像素子１０ａはモノクロ撮影に用いられるものとする。撮像装置９には、撮像素子９ａの撮影感度（ＩＳＯ感度）や撮影画素数などの撮影条件を変更する制御回路が設けられている。一方、撮像装置１０には、撮像素子１０ａの撮影感度（ゲイン（Ｇａｉｎ））や撮影画素数などの撮影条件を変更する制御回路が設けられている。
【００３７】
なお、この実施形態においては二台の撮像装置を設けた構成を採用しているが、この発明においては、撮影種別に対応する機能を有していれば撮像装置を一台のみ設けた構成とすることも可能であり、また三台以上の撮像装置を設けた構成とすることも適宜に可能である。
【００３８】
〔眼底カメラの光学系の構成〕
次に、眼底カメラ１の光学系の構成について図３を参照しながら説明する。この眼底カメラ１の光学系は、被検眼Ｅの眼底Ｅｆを照明光を投射する照明光学系１００と、この照明光の眼底反射光を接眼レンズ部８ｂや撮像装置９、１０に導く撮影光学系１２０とを含んで構成される。
【００３９】
（照明光学系）
照明光学系１００は、観察光源１０１、コンデンサレンズ１０２、撮影光源１０３、コンデンサレンズ１０４、フィルタ部１０５、リング透光板１０７、ミラー１０８、ＬＣＤ１０９、照明絞り１１０、リレーレンズ１１１、孔開きミラー１１２、対物レンズ１１３を含んで構成されている。
【００４０】
観察光源１０１は、眼底Ｅｆ′を肉眼や撮影画像にて観察するための定常光（連続光）を出力する光源である。この観察光源１０１は、たとえばハロゲンランプによって構成される。コンデンサレンズ１０２は、観察光源１０１から発せられた定常光（観察照明光）を集光して平行光束にする。それにより、観察照明光は眼底Ｅｆをほぼ均等に照明するようになる。
【００４１】
撮影光源１０３は、眼底Ｅｆの撮影を行うときにフラッシュ発光される光源である。この撮影光源１０３は、たとえばキセノンランプによって構成される。コンデンサレンズ１０４は、撮影光源１０３から発せられたフラッシュ光（撮影照明光）を集光して平行光束にする。それにより、撮影照明光を眼底Ｅｆをほぼ均等に照射するようになる。
【００４２】
フィルタ部１０５は、照明光学系１００の光路上に選択的に配置される複数の光学フィルタを具備している。このフィルタ部１０５は、たとえば図４に示すように、複数（７個）の光学フィルタ１０５ａ〜１０５ｇが円周方向に沿って配設された円板（ターレット）によって構成される。なお、符号１０５ｈは、円形状の孔部（若しくは透明板）である。光学フィルタ１０５ａ〜１０５ｈ（記載簡略化のため、符号１０５ｈを「光学フィルタ」と称することがある。）以外のフィルタ部１０５の領域は、光を透過させないようになっている。
【００４３】
フィルタ部１０５は、その中心位置に設けられた回転軸１０５Ａを中心として回転可能に保持されている。回転軸１０５Ａは、照明光学系１００の光路上から外れた位置に設けられている。より具体的には、回転軸１０５Ａは、回転軸１０５Ａを中心にフィルタ部１０５が回転したときに、光学フィルタ１０５ａ〜１０５ｈが択一的に光路上に挿入されるような位置に配設されている。
【００４４】
フィルタ部１０５に設けられた光学フィルタ１０５ａ〜１０５ｇについて説明する。これら光学フィルタ１０５ａ〜１０５ｇとしては、たとえば、カラー撮影用のフィルタ、ＦＡ（フルオレセイン蛍光造影撮影；可視蛍光撮影）用のエキサイタフィルタ、ＩＣＧ（インドシアニングリーン蛍光造影撮影；赤外蛍光撮影）用のエキサイタフィルタ、自発蛍光撮影用のエキサイタフィルタ、レッドフリー撮影用のフィルタなどが用いられる。なお、これら以外にも、当該眼科撮影システムによる検査内容などに応じた任意の光学フィルタを用いることができる。
【００４５】
フィルタ部１０５は、前述したフィルタ変更操作部３ｂに対する操作に連動して回転し、光路上に配置される光学フィルタを切り替えるように動作する。ここで、フィルタ変更操作部３ｂとフィルタ部１０５との連動の態様は任意である。たとえば、フィルタ変更操作部３ｂに対する回転動作を歯車などを介して伝達してフィルタ部１０５を回転させる機構的構成により当該連動動作を実現することができる。また、フィルタ変更操作部３ｂの回転位置を検出するエンコーダと、このエンコーダからの出力信号に基づいてフィルタ部１０５を回転させるモータとを含む電気的構成により当該連動動作を実現することも可能である。
【００４６】
リング透光板１０７は、円環形状の透光領域からなるリング透光部１０７ａを有する板状の光学部材である。このリング透光板１０７は、被検眼Ｅの瞳孔と共役な位置に、かつ、リング透光部１０７ａの中心が照明光学系１００の光軸に位置するようにして配設されている。ミラー１０８は、観察光源１０１や撮影光源１０３が発した照明光を撮影光学系１２０の光軸方向に反射させる。ＬＣＤ１０９は、被検眼Ｅの固視を行うための固視標（内部固視標：図示せず）などを表示する。
【００４７】
照明絞り１１０は、照明光の一部を遮蔽する絞り部材である。この照明絞り１１０は、照明光学系１００の光軸方向に移動可能に構成され、眼底Ｅｆの照明領域を調整できるようになっている。この照明絞り１１０により、撮影画像にフレアが発生することを防止するなどの効果が得られる。
【００４８】
孔開きミラー１１２は、照明光学系１００の光軸と撮影光学系１２０の光軸とを合成する光学素子である。孔開きミラー１１２の中心領域には孔部１１２ａが開口されている。照明光学系１００の光軸と撮影光学系１２０の光軸は、この孔部１１２ａの略中心位置にて交差するようになっている。対物レンズ１１３は、本体部８の対物レンズ部８ａ内に設けられている。
【００４９】
このような構成を有する照明光学系１００は、次のような態様で眼底Ｅｆを照明する。最初に、眼底観察を行う場合について説明する。まず、フィルタ変更操作部３ｂを操作して、観察方法に応じた光学フィルタ１０５ａ〜１０５ｈを光路上に配置させ、観察光源１０１から観察照明光を出力させる。観察照明光は、コンデンサレンズ１０２、１０４を介してリング透光板１０７を照射する。リング透光板１０７のリング透光部１０７ａを通過した光は、ミラー１０８により反射され、ＬＣＤ１０９、照明絞り１１０及びリレーレンズ１１１を経由して孔開きミラー１１２により反射される。孔開きミラー１１２により反射された観察照明光は、撮影光学系１２０の光軸方向に進行し、対物レンズ１１３により集束されて被検眼Ｅに入射して眼底Ｅｆを照明する。
【００５０】
このとき、リング透光板１０７が被検眼Ｅの瞳孔に共役な位置に配置されていることから、被検眼Ｅに入射する観察照明光のリング状の像が瞳孔上に形成される。観察照明光の眼底反射光は、この瞳孔上のリング状の像の中心暗部を通じて被検眼Ｅから出射する。このように、被検眼Ｅに入射する照明光と、その眼底反射光とを分離することにより、被検眼Ｅに入射する観察照明光が眼底反射光に与える影響を防止するようになっている。
【００５１】
次に、眼底Ｅｆを撮影する場合について説明する。まず、フィルタ変更操作部３ｂを操作して、撮影方法に応じた光学フィルタ１０５ａを光路上に配置させ、操作ボタン４ａを押下して撮影光源１０３から撮影照明光をフラッシュ発光させる。撮影照明光は、観察照明光と同様の経路を介して眼底Ｅｆに照射される。
【００５２】
（撮影光学系）
続いて、撮影光学系１２０について説明する。撮影光学系１２０は、対物レンズ１１３、孔開きミラー１１２（の孔部１１２ａ）、撮影絞り１２１、フィルタ部１２２、フォーカスレンズ１２４、変倍レンズ１２５、結像レンズ１２６、クイックリターンミラー１２７及び撮像装置９を含んで構成される。
【００５３】
照明光の眼底反射光は、前述のように、瞳孔上のリング状の像の中心暗部を通じて被検眼Ｅから出射する。被検眼Ｅから出射した眼底反射光は、孔開きミラー１１２の孔部１１２ａを通じて撮影絞り１２１に入射する。孔開きミラー１１２は、照明光の角膜反射光を反射する。それにより、角膜反射光に起因するフレアの発生を防止するようになっている。
【００５４】
撮影絞り１２１は、大きさの異なる複数の円形の透光部が形成された板状の部材である。複数の透光部は、絞り値（Ｆ値）の異なる絞りを構成する。これら透光部は、図示しない駆動機構によって択一的に光路上に配置されるようになっている。
【００５５】
フィルタ部１２２は、撮影光学系１２０の光路上に選択的に配置される複数の光学フィルタを具備している。このフィルタ部１２２は、たとえば図５に示すように、複数（７個）の光学フィルタ１２２ａ〜１２２ｇが円周方向に沿って配設されたターレットによって構成される。なお、符号１２２ｈは、円形状の孔部（若しくは透明板）である。光学フィルタ１２２ａ〜１２２ｈ（符号１２２ｈを「光学フィルタ」と称することがある。）以外のフィルタ部１２２の領域は、光を透過させないようになっている。
【００５６】
フィルタ部１２２は、その中心位置に設けられた回転軸１２２Ａを中心として回転可能に保持されている。回転軸１２２Ａは、撮影光学系１２０の光路上から外れた位置、より具体的には、回転軸１２２Ａを中心にフィルタ部１２２が回転したときに、光学フィルタ１２２ａ〜１２２ｈが択一的に光路上に挿入されるような位置に配設されている。
【００５７】
光学フィルタ１２２ａ〜１２２ｇとしては、たとえば、カラー撮影用のフィルタ、ＦＡ用のバリアフィルタ、ＩＣＧ用のバリアフィルタ、自発蛍光撮影用のバリアフィルタなどが用いられる。なお、これら以外にも、当該眼科撮影システムによる検査内容などに応じた任意の光学フィルタを用いることができる。
【００５８】
フィルタ部１２２は、前述したフィルタ変更操作部３ｂに対する操作に連動して回転し、光路上に配置される光学フィルタを切り替えるように動作する。フィルタ変更操作部３ｂとフィルタ部１２２との連動の態様は、フィルタ部１２２の場合と同様に任意である。
【００５９】
この実施形態では、フィルタ変更操作部３ｂを操作したことに対応し、フィルタ部１０５、１２２の双方が連動して光学フィルタを変更するようになっているが、各フィルタ部１０５、１２２についてそれぞれフィルタ変更操作部を設ける構成を採用することも可能である。
【００６０】
また、後述のように、光学フィルタ１０５ａ〜１０５ｇと光学フィルタ１２２ａ〜１２２ｇとを、それぞれこの順序で組み合わせて使用する場合、一方の光学フィルタは円形状の孔部又は透明板であってもよい。たとえば、組み合わせて使用される光学フィルタ１０５ｅ、１２２ｅのうちの一方を、透過光に影響を与えない孔部や透明板とすることができる。なお、一方を孔部や透明板にする代わりに、他方の光学フィルタと、孔部（透明板）１０５ｈ又は孔部（透明板）１２２ｈとを組み合わせて使用するように制御することも可能である。たとえば、光学フィルタ１２２ｅを孔部等にする代わりに、光学フィルタ１０５ｅと光学フィルタ１２２ｈとを組み合わせるように制御を行うことができる。
【００６１】
フォーカスレンズ１２４は、後述するフォーカスレンズ駆動部１７によって撮影光学系１２０の光軸方向に移動可能とされている。それにより、眼底観察時や眼底撮影時においてフォーカスを合わせることができる。また、変倍レンズ１２５は、後述する変倍レンズ駆動部１６により光路上に挿脱されて画角（倍率）を変更するように作用する。また、結像レンズ１２６は、被検眼Ｅからの眼底反射光を撮像装置９の撮像素子９ａ上に結像させるように作用する。
【００６２】
クイックリターンミラー１２７は、図示しない駆動機構によって回動軸１２７ａ周りに回動可能に設けられている。撮像装置９で眼底を撮影する場合、光路上に斜設されているクイックリターンミラー１２７を上方に跳ね上げて、眼底反射光を撮像装置９に導くようになっている。一方、撮像装置１０による眼底撮影時や、検者の肉眼による眼底観察時には、クイックリターンミラー１２７を光路上に斜設配置させた状態で、眼底反射光を上方に向けて反射するようになっている。
【００６３】
撮影光学系１２０には、更に、クイックリターンミラー１２７により反射された眼底反射光を案内するための、フィールドレンズ（視野レンズ）１２８、切換ミラー１２９、接眼レンズ１３０、リレーレンズ１３１、反射ミラー１３２、撮影レンズ１３３及び撮像装置１０が設けられている。
【００６４】
切換ミラー１２９は、クイックリターンミラー１２７と同様に、回動軸１２９ａ周りに回動可能とされている。この切換ミラー１２９は、肉眼による眼底観察時には光路上に斜設された状態で眼底反射光を接眼レンズ１３０に向けて反射する。
【００６５】
また、撮像装置１０を用いて眼底画像を撮影するときには、切換ミラー１２９を光路上から退避して、眼底反射光を撮像素子１０ａに向けて導く。この眼底反射光は、リレーレンズ１３１を経由してミラー１３２により反射され、撮影レンズ１３３によって撮像素子１０ａに結像されることになる。
【００６６】
〔眼底カメラの制御系の構成〕
眼底カメラ１の制御系の構成について、図１を参照しながら説明する。眼底カメラ１には、前述した構成部分以外に、制御部１１、記憶部１２、通信部１３及び変倍レンズ駆動部１６が設けられている。以下、これら各部を中心とする制御系について説明する。
【００６７】
（制御部）
制御部１１は、眼底カメラ１の各部の動作を制御する。具体的には、観察光源１０１や撮影光源の点灯／消灯の切り替え動作の制御、通信部１３によるデータの送信・受信動作の制御、変倍レンズ駆動部１６やフォーカスレンズ駆動部１７の動作制御などを行う。また、制御部１１は、各撮像装置９、１０における撮影感度や撮影画素数の設定動作の制御を行う。また、制御部１１は、操作パネル３ａの制御、すなわち、表示部１４による表示動作の制御や、操作部１５に対する操作に応じた眼底カメラ１の動作制御を行う。また、制御部１１は、情報を記憶部１２に記憶させたり、記憶部１２に記憶されている情報を読み出したりする。また、制御部１１は、必要に応じて各種の演算処理を行う。
【００６８】
制御部１１は、ＣＰＵ（Ｃｅｎｔｒａｌ  Ｐｒｏｃｅｓｓｉｎｇ  Ｕｎｉｔ）等のマイクロプロセッサを含んで構成されている。更に制御部１１には、このマイクロプロセッサに上述の動作を実行させるコンピュータプログラムを記憶したＲＯＭ（Ｒｅａｄ  Ｏｎｌｙ  Ｍｅｍｏｒｙ）やハードディスクドライブ等の記憶装置が設けられている。
【００６９】
（記憶部）
記憶部１２は、眼底カメラ１による動作や処理に供される各種の情報を記憶する。記憶部１２は、たとえばＲＡＭ（Ｒａｎｄｏｍ  Ａｃｃｅｓｓ  Ｍｅｍｏｒｙ）やハードディスクドライブ等の記憶装置によって構成される。
【００７０】
（通信部）
通信部１３は、コンピュータ３０との間の双方向のデータ通信を行う。この通信部１３としては、たとえばＵＳＢ（Ｕｎｉｖｅｒｓａｌ  Ｓｅｒｉａｌ  Ｂｕｓ）などの任意の通信規格に準拠した通信インターフェイスを用いることができる。図１においては、接続線Ｌを通じてＵＳＢ等に準拠したデータ通信を行うようになっている。なお、接続線Ｌ１、Ｌ２は、撮像装置９、１０から出力される撮影信号をコンピュータ３０に伝送するためのケーブルである。
【００７１】
（変倍レンズ駆動部）
変倍レンズ駆動部１６は、撮影光学系１２０の光路上に変倍レンズ１２５を挿脱させる駆動機構である。この変倍レンズ駆動部１６は、たとえば、駆動力を発生するモータ等のアクチュエータと、発生された駆動力を変倍レンズ１２５に伝達する歯車等の伝達機構とを含んで構成される。また、ソレノイド等を用いて変倍レンズ駆動部１６を構成することもできる。
【００７２】
（フォーカスレンズ駆動部）
フォーカスレンズ駆動部１７は、撮影光学系１２０の光軸方向に沿ってフォーカスレンズ１２４を移動させる駆動機構である。このフォーカスレンズ駆動部１７は、たとえば、駆動力を発生するモータ等のアクチュエータと、発生された駆動力をフォーカスレンズ１２４に伝達する歯車等の伝達機構とを含んで構成される。
【００７３】
［コンピュータの構成］
コンピュータ３０の構成について、図１、図６を参照しながら説明する。図６は、コンピュータ３０のハードウェア構成の一例を表している。
【００７４】
〔コンピュータのハードウェア構成〕
コンピュータ３０は、マイクロプロセッサ４１、主記憶装置４２、外部記憶装置４３、画像記憶装置４４、表示デバイス４５、操作デバイス４６及び通信インターフェイス４７を含んで構成される。これら各部４１〜４７は、バス（Ｂｕｓ）４８を介して互いに接続されている。
【００７５】
マイクロプロセッサ４１は、ＣＰＵ等を含んで構成され、コンピュータ３０に関する各種の演算処理や制御処理を実行する。主記憶装置４２は、ＲＡＭ等によって構成されている。外部記憶装置４３は、マイクロプロセッサ４１に後述の処理を実行させる各種のコンピュータプログラムやデータを記憶するハードディスクドライブやＲＯＭ等によって構成されている。マイクロプロセッサ４１は、外部記憶装置４３に記憶されたコンピュータプログラムやデータを主記憶装置４２に展開することにより後述の処理を実行する。
【００７６】
画像記憶装置４４は、撮像装置９、１０により撮影された画像の画像データが記憶される。また、画像記憶装置４４には、各被検者の検査情報が記憶される。この検査情報は、撮影画像の画像データや、撮影時の設定状態を示す情報や、その他のカルテ情報などを含んでいる。これらの情報は、各被検者の識別情報（患者ＩＤ、患者氏名等の被検者識別情報）によって検索可能な状態で記憶されている。
【００７７】
この画像記憶装置４４は、ハードディスクドライブ等の大容量の記憶装置を含んで構成される。なお、図６に示す例では、外部記憶装置４３と画像記憶装置４４とをそれぞれ個別に設けているが、これらを単一のハードディスクドライブ等により構成してもよい。また、画像記憶装置４４は、コンピュータ３０に内蔵されている必要はなく、たとえば、コンピュータ３０によりアクセス可能なサーバやＮＡＳ（Ｎｅｔｗｏｒｋ  Ａｔｔａｃｈｅｄ  Ｓｔｏｒａｇｅ）等により構成することもできる。
【００７８】
表示デバイス４５は、マイクロプロセッサ４１により制御されて、各種の画面や画像などを表示する。この表示デバイス４５は、たとえばＬＣＤやＣＲＴ（Ｃａｔｈｏｄｅ  Ｒａｙ  Ｔｕｂｅ）ディスプレイなどの表示装置により構成される。
【００７９】
操作デバイス４６は、コンピュータ３０や眼底カメラ１を操作するための情報入力を行うための装置である。この操作デバイス４６は、たとえばキーボード、マウス、トラックボール、ジョイスティック、コントロールパネルなどの任意の入力装置（操作装置）によって構成される。
【００８０】
なお、この実施形態においては、表示デバイス４５と操作デバイス４６とを別々に記載しているが、たとえばタッチパネル方式のＬＣＤやペンタブレットのように、表示機能と操作機能とを一体化させた機器を適用することも可能である。
【００８１】
通信インターフェイス４７は、接続線Ｌ、Ｌ１、Ｌ２を介してデータ通信を行うための装置である。通信インターフェイス４７には、接続線Ｌを介するデータ通信用のＵＳＢ等の通信規格に準拠した通信インターフェイスが含まれている。更に、通信インターフェイス４７は、接続線Ｌ１、Ｌ２を通じて撮像装置９、１０からの撮影信号を受信するための通信インターフェイスを含んでいる。
【００８２】
なお、コンピュータ３０によって撮像装置９、１０を直接に制御する場合（眼底カメラ１の制御部１１を経由せずに制御する場合）、通信インターフェイス４７は、接続線Ｌ１、Ｌ２を介して制御信号を送信するための通信インターフェイスを具備する。
【００８３】
また、コンピュータ３０は、医療機関内の情報システムに接続されている場合がある。その場合、通信インターフェイス４７は、ＬＡＮカード等のネットワークインターフェイス等を含んで構成される。また、モデム等の通信機器を設けて、インターネット等の広域通信を行えるようにしてもよい。
【００８４】
〔コンピュータの機能的構成〕
以上のようなハードウェア構成を有するコンピュータ３０の機能的構成について、図１を参照しながら説明する。コンピュータ３０には、制御部３１、表示部３３、操作部３４、画像データ記憶部３５及び通信部３６が設けられている。制御部３１は、情報記憶部３２を備えている。
【００８５】
（表示部、操作部、画像データ記憶部、通信部）
まず、表示部３３、操作部３４、画像データ記憶部３５及び通信部３６について説明する。表示部３３は、図６の表示デバイス４５により構成される。表示部３３は、制御部３１により制御されて、撮像装置９、１０からの撮影信号に基づく眼底画像や、眼底カメラ１の設定に関する情報などの各種情報を表示する。表示部３３は、この発明の「表示手段」の一例として機能する。
【００８６】
操作部３４は、図６の操作デバイス４６により構成される。ユーザによる操作を受けると、操作部３４は、その操作内容に応じた信号を制御部３１に入力する。制御部３１は、この信号に基づいて、当該操作に対応する動作をコンピュータ３０に実行させる。画像データ記憶部３５は、この発明の「記憶手段」の一例として機能するもので、図６の画像記憶装置４４により構成される。通信部３６は、図６の通信インターフェイス４７により構成される。
【００８７】
（制御部）
制御部３１は、コンピュータ３０の各部の動作制御を行うもので、通信部３６とともにこの発明の「制御手段」の一例として機能する。また、制御部３１は、眼底カメラ１による画像撮影及びその撮影画像に関する各種の演算処理を行う。制御部３１は、たとえば、マイクロプロセッサ４１、主記憶装置４２及び外部記憶装置４３を含んで構成される。
【００８８】
制御部３１には、主記憶装置４２や外部記憶装置４３により構成される情報記憶部３２が設けられている。情報記憶部３２は、この発明の「記憶手段」の一例として機能するものであり、たとえば図７〜図９に示す情報をあらかじめ記憶している。ここで、図７〜図９に示す情報は、この発明の「関連情報」の一例に相当する。
【００８９】
図７に示す関連情報３２ａは、眼底カメラ１のフィルタ部１０５、１２２の光学フィルタ１０５ａ〜１０５ｈ、１２２ａ〜１２２ｈと、撮影種別と、プロシジャ（ｐｒｏｃｅｄｕｒｅ）とを関連付ける情報である。ここで、撮影種別とは、撮影方法の種類を示すものであり、前述のように、カラー撮影、ＦＡ撮影、ＩＣＧ撮影などがある。また、プロシジャとは、当該撮影種別において適用される撮影手順（使用する撮像装置９、１０やその設定状態等）の種別を意味している。
【００９０】
この実施形態では、２つのフィルタ部１０５、１２２の光学フィルタは、次のような組合せで使用されるものとする：（１）光学フィルタ１０５ｈ、１２２ｈ（孔部／透明板）は、カラー撮影時に使用される；（２）光学フィルタ１０５ａ、１２２ａは、ＦＡ撮影時に使用される；（３）光学フィルタ１０５ｂ、１２２ｂは、ＩＣＧ撮影時に使用される；（４）光学フィルタ１０５ｃ、１２２ｃは、自発蛍光撮影時に使用される；（５）光学フィルタ１０５ｄ、１２２ｄは、グリーン撮影時に使用される；（６）光学フィルタ１０５ｅ、１２２ｅは、ブルー撮影時に使用される。なお、この構成を適用する場合、光学フィルタ１２２ｄ、１２２ｅとして孔部又は透明板が用いられる。また、図示は省略するが、光学フィルタ１０５ｆ、１２２ｆや光学フィルタ１０５ｇ、１２２ｇは、それぞれ、たとえばレッドフリー撮影などの他の撮影種別において使用される。
【００９１】
また、図７の関連情報３２ａにおける「フィルタ８」は光学フィルタ１０５ｈ、１２２ｈの組合せを示し、「フィルタ１」は光学フィルタ１０５ａ、１２２ａの組合せを示し、「フィルタ２」は光学フィルタ１０５ｂ、１２２ｂの組合せを示し、「フィルタ３」は光学フィルタ１０５ｃ、１２２ｃの組合せを示し、「フィルタ４」は光学フィルタ１０５ｄ、１２２ｄの組合せを示し、「フィルタ５」は光学フィルタ１０５ｅ、１２２ｅの組合せを示す（図示しない「フィルタ６」は光学フィルタ１０５ｆ、１２２ｆの組合せを示し、「フィルタ７」は光学フィルタ１０５ｇ、１２２ｇの組合せを示す）。
【００９２】
関連情報３２ａは、各光学フィルタ（の組合せ）について、撮影種別とプロシジャを次のように関連付けている：（１）フィルタ８に対して、撮影種別「カラー」とプロシジャ「カラー用」を関連付ける；（２）フィルタ１に対して、撮影種別「ＦＡ」とプロシジャ「Ｂ／Ｗ用−１」を関連付ける；（３）フィルタ２に対して、撮影種別「ＩＣＧ」とプロシジャ「Ｂ／Ｗ用−２」を関連付ける；（４）フィルタ３に対して、撮影種別「自発蛍光」とプロシジャ「Ｂ／Ｗ用−２」を関連付ける；（５）フィルタ４に対して、撮影種別「グリーン」とプロシジャ「Ｂ／Ｗ用−１」を関連付ける；（６）フィルタ５に対して、撮影種別「ブルー」とプロシジャ「Ｂ／Ｗ用−１」を関連付ける（以降省略）。
【００９３】
ここで、「Ｂ／Ｗ」とは、「Ｂｌａｃｋ／Ｗｈｉｔｅ」すなわちモノクロ撮影を意味している。また、「Ｂ／Ｗ用−１」、「Ｂ／Ｗ用−２」は、それぞれ、モノクロ撮影おける第１のプロシジャ、第２のプロシジャを意味している。
【００９４】
次に、図８に示す関連情報３２ｂについて説明する。この関連情報３２ｂは、プロシジャと、撮像装置９、１０のいずれか一方と、撮影時における撮像装置の設定とを関連付けるものである。換言すると、関連情報３２ｂは、各プロシジャの名称に対して、その内容を関連付けている。
【００９５】
より具体的に説明すると、関連情報３２ｂは、次のような関連付けを定義している：（１）プロシジャ「カラー用」に対して、撮像装置「撮像装置−Ａ」と設定「＃１」を関連付ける；（２）プロシジャ「Ｂ／Ｗ用−１」に対して、撮像装置「撮像装置−Ｂ」と設定「＃１」を関連付ける；（３）プロシジャ「Ｂ／Ｗ用−２」に対して、撮像装置「撮像装置−Ｂ」と設定「＃２」を関連付ける（以降省略）。
【００９６】
ここで、「撮像装置−Ａ」は撮像装置９を示し、「撮像装置−Ｂ」は撮像装置１０を示している。これらの情報「撮像装置−Ａ」、「撮像装置−Ｂ」は、それぞれ撮像装置９、１０の識別情報としてあらかじめ定義されているものとする。この撮像装置の識別情報は、この発明の「撮影設定情報」の一例に相当する。また、設定「＃１」、「＃２」は、それぞれ、当該撮像装置における第１の設定、第２の設定を示している。
【００９７】
次に、図９に示す関連情報３２ｃについて説明する。この関連情報３２ｃは、撮像装置及びその設定に対し、当該設定の内容を関連付けるものである。この設定内容は、この発明の「撮影設定情報」の一例に相当し、たとえば撮像素子９ａ、１０ａの撮影感度や撮影画素数などが含まれている。
【００９８】
この関連情報３２ｃは、次のような関連付けを定義している：（１）設定「撮像装置−Ａ、＃１」に対して、撮影感度「ＩＳＯ５００」と撮影画素数「２０００ｘ１５００」を関連付ける；（２）設定「撮像装置−Ｂ、＃１」に対して、撮影感度「Ｇａｉｎ  １２」と撮影画素数「１６００ｘ１２００」を関連付ける；（３）設定「撮像装置−Ｂ、＃２」に対して、撮影感度「Ｇａｉｎ  １８」と撮影画素数「１６００ｘ１２００」を関連付ける（以降省略）。
【００９９】
［使用形態］
以上のような構成を有する眼科撮影システムの使用形態を説明する。図１０に示すフローチャートは、この眼科撮影システムの使用形態の一例を表している。
【０１００】
光学フィルタの選択に対応する眼科撮影システムの動作について、図１０を参照しながら説明する。まず、ユーザが、眼底カメラ１のフィルタ変更操作部３ｂを操作して、光学フィルタ１０５ａ〜１０５ｈ、１２２ａ〜１２２ｈの（前述の組合せの）選択を行う（Ｓ１）。フィルタ部１０５、１２２は、選択された光学フィルタをそれぞれの光路上に配置させる（Ｓ２）。
【０１０１】
また、フィルタ変更操作部３ｂは、ステップＳ１の操作結果に応じた信号を制御部１１に入力する。制御部１１は、この信号に基づいて、当該操作結果、すなわち光学フィルタの選択結果を示す信号（操作信号）を生成する。そして、通信部１３を制御し、この操作信号を接続線Ｌを介してコンピュータ３０に送信する（Ｓ３）。
【０１０２】
眼底カメラ１から送信された操作信号は、コンピュータ３０の通信部３６により受信されて制御部３１に入力される。制御部３１は、情報記憶部３２に記憶された関連情報３２ａを参照し、当該操作信号に示す光学フィルタの選択結果に関連付けられた撮影種別とプロシジャを選択する（Ｓ４）。制御部３１は、選択された撮影種別を示す情報（撮影種別情報）として、当該撮影種別の名称（略称）を表示部３３に表示させる（Ｓ５）。
【０１０３】
また、制御部３１は、関連情報３２ｂを参照し、ステップＳ４で選択されたプロシジャに対応する撮像装置とその設定とを選択する（Ｓ６）。更に、制御部３１は、関連情報３２ｃを参照し、ステップＳ６での選択結果に対応する撮影感度と撮影画素数とを選択する（Ｓ７）。
【０１０４】
制御部３１は、通信部３６を制御して、ステップＳ６にて選択された撮像装置の識別情報と、ステップＳ７にて選択された撮影感度と撮影画素数の情報を、接続線Ｌを介して眼底カメラ１に送信する（Ｓ８）。
【０１０５】
眼底カメラ１の通信部１３は、このコンピュータ３０からの撮像装置の識別情報、撮影感度の情報及び撮影画素数の情報を受信して制御部１１に入力する。制御部１１は、この識別情報により特定される撮像装置９又は撮像装置１０を制御して、撮像素子９ａ又は撮像素子１０ａの撮影感度と撮影画素数をそれぞれ設定する（Ｓ９）。
【０１０６】
撮像装置９又は撮像装置１０の設定が終了すると、制御部１１は、撮影可能な状態になったことを示す情報を呈示させる（Ｓ１０）。たとえば、その旨を示すメッセージを表示部１４に表示させることができる。また、眼底カメラ１の所定部位（たとえば操作ボタン４ａ）にＬＥＤ（Ｌｉｇｈｔ  Ｅｍｉｔｔｉｎｇ  Ｄｉｏｄｅ）等の報知用光源を設け、この報知用光源を点灯させるように構成することもできる。
【０１０７】
ユーザは、操作ボタン４ａを押下して眼底Ｅｆの画像を撮影する（Ｓ１１）。この画像撮影は、ステップＳ９にて設定された撮像装置９又は撮像装置１０により、設定された撮影感度及び撮影画素数で取得される。撮像装置９又は撮像装置１０は、その撮影画像の画像データ（撮影信号）を、接続線Ｌ１又は接続線Ｌ２を介してコンピュータ３０に送信する（Ｓ１２）。
【０１０８】
コンピュータ３０の通信部３６がこの画像データを受信すると、制御部３１は、この画像データを画像データ記憶部３５に記憶するとともに（Ｓ１３）、この画像データに基づく眼底画像を表示部３３に表示させる（Ｓ１４）。更に画像を撮影する場合には、ユーザは必要に応じて光学フィルタを変更し、ステップＳ１〜Ｓ１４の処理を繰り返すことになる。以上で、光学フィルタの選択に対応する眼科撮影システムの動作の説明を終了する。
【０１０９】
〔コンピュータの表示画面〕
上記の使用形態におけるコンピュータ３０の表示画面について説明する。図１１は、この表示画面の一例を表している。同図に示す表示画面１０００は、眼底Ｅｆの撮影画像や撮影時の設定状態などを表示する画面である。
【０１１０】
この表示画面１０００には、撮影画像を表示する表示領域として、サムネイル表示部１００１と、画像表示部１００２が設けられている。サムネイル表示部１００１には、複数枚の眼底画像の縮小画像（サムネイル）が配列して表示される。これらサムネイルに対応する眼底画像の画像データは、画像データ記憶部３５に記憶されている。
【０１１１】
なお、ＦＡ撮影やＩＣＧ撮影のように、タイマ（Ｔｉｍｅｒ）により計時を行いながら実施する撮影種別においては、各サムネイルに計時時間が付されて表示される。各眼底画像が撮影されたときの計時時間は、眼底カメラ１の制御部１１（マイクロプロセッサ）の計時機能によって取得される。撮影を行うために操作ボタン４ａが押下されると、撮影ボタン４ａから制御部１１に信号が入力される。制御部１１は、この信号が入力されたことに対応し、撮影光源１０３をフラッシュ発光させるとともに、タイマの計時時間及び各種情報（光学フィルタ、左右眼、撮影光量、絞り値、画角等の状態を示す情報）を取得する。そして、制御部１１は、この計時時間の情報に上記各種情報及び識別情報を付加してコンピュータ３０に送信する。更に、撮像装置１０（９）は、撮影画像の画像データ（撮影信号）をコンピュータ３０に送信する。コンピュータ３０は、識別情報、上記各種情報及び計時時間を撮影信号と関連付ける。そして、その撮影信号に基づくサムネイルに計時時間を付して表示する。
【０１１２】
ユーザは、操作部３４を操作して、これら複数のサムネイルのうちの一つを指定する（たとえば、所望のサムネイルをマウスでクリックする。）。制御部１１は、指定されたサムネイルに対応する画像データに基づいて、当該サムネイルの拡大画像である眼底画像Ｅｆ′を画像表示部１００２に表示する。このように、ユーザは、撮影した複数の眼底画像のうちの所望のものを選択して観察することができる。
【０１１３】
画像表示部１００２の下方位置には、現在の設定状態などの各種情報が表示される。具体的には、被検者識別情報表示部１００３、撮影種別表示部１００４、左眼／右眼表示部１００５、撮影画角表示部１００６、照明光量表示部１００７が設けられている。また、表示画面１０００の左上位置には、撮影時の情報を表示する撮影情報表示部１００８が設けられている。
【０１１４】
（被検者識別情報の表示について）
被検者識別情報表示部１００３には、当該被検者の識別情報（患者ＩＤ、患者氏名等）が表示される。図１１においては、患者ＩＤ「２２２−２２−２２２２」と、患者氏名「ＡＡＡＡ  ＢＢＢＢ」が表示されている。
【０１１５】
被検者識別情報は、当該被検者に対する検査開始時や画像観察開始時（先に撮影した画像の観察を開始するとき）に入力されたものである。被検者識別情報の入力方法としては、たとえば次の三つのケースがある。第１のケースとしては、ユーザがコンピュータ３０の操作部３４を操作して入力する方法がある。この第１のケースには、コンピュータ３０にカードリーダを設けるとともに、被検者識別情報を電磁的方法等で記憶した患者カードをカードリーダで読み取って入力する場合なども含まれる。
【０１１６】
第２のケースとしては、複数の被検者について所定の順序で検査を順次行う場合において、一の被検者に対する検査の終了をユーザが要求したことに対応し、次の被検者の被検者識別情報を自動的に入力する方法がある。検査順序は、コンピュータ３０が管理するのが一般的である。なお、検査終了の要求を眼底カメラ１側にて行う場合、眼底カメラ１は、この要求に対応する信号をコンピュータ３０に送信する。コンピュータ３０は、この信号を受信すると、次の順序の被検者の被検者識別情報を読み出して表示する。
【０１１７】
第３のケースとしては、眼底カメラ１側にて被検者識別情報を入力する場合がある。この場合、眼底カメラ１の制御部１１は、被検者識別情報を入力するための情報を表示部１４に表示させる。この情報は、被検者識別情報をユーザが手作業で入力するための入力スペースであってもよいし、被検者識別情報のリストであってもよい。ユーザは、操作部１５を操作して、所望の被検者識別情報を入力（リストから選択）する。眼底カメラ１は、この入力結果（選択結果）を示す信号を接続線Ｌを介してコンピュータ３０に送信する。コンピュータ３０は、この信号に基づいて、入力された被検者識別情報を表示する。また、眼底カメラ１にカードリーダを設け、その読み取り結果を示す情報を接続線Ｌを介してコンピュータ３０に送信し、コンピュータ３０が表示するようにしてもよい。
【０１１８】
以上のような被検者識別情報の入力は、検査開始時や画像観察開始時に実施される。コンピュータ３０の制御部３１は、入力された被検者識別情報により特定される検査情報（前述）を画像データ記憶部３５から読み出す。なお、検査開始時に入力した場合には、たとえば当該被検者の過去の検査情報を読み出す。他方、画像観察開始時に入力した場合には、先に撮影された画像の画像データ等を含む検査情報を読み出す。制御部３１は、読み出された検査情報（の一部）を表示する。それにより、たとえば、撮影種別、眼底画像、撮影時の設定状態などが表示画面１０００に表示される。また、検査開始時においては、眼底カメラ１の現在の設定状態を取得して表示するように構成することもできる。
【０１１９】
（撮影種別の表示について）
撮影種別表示部１００４には、図１０のステップＳ５における撮影種別を示す情報（撮影種別情報）が表示される。すなわち、コンピュータ３０は、ステップＳ４において、光学フィルタの選択結果に応じた撮影種別を関連情報３２ａから取得し、ステップＳ５において、この取得された撮影種別を示す情報を撮影種別表示部１００４に表示する。このときに表示される情報としては、たとえば、カラー撮影を示す「Ｃｏｌｏｒ」、可視蛍光撮影を示す「ＦＡ」、赤外蛍光撮影を示す「ＩＣＧ」等、当該撮影種別の名称や略称などの情報がある。
【０１２０】
（左眼／右眼の表示について）
左眼／右眼表示部１００５には、撮影対象の被検眼Ｅが左眼であるか又は右眼であるかを示す情報（左眼／右眼情報と呼ぶ。）が表示される。
【０１２１】
左眼／右眼情報の取得方法について説明する。前述のように、眼底カメラ１には、顎受け６ａと額当て６ｂが設けられている。被検者は、顎受け６ａに顎を載置させ、額当て６ｂに額を当接させることにより、眼底カメラ１に対する顔位置が固定される。また、ユーザは、ベース２上において架台３を前後左右方向にスライドさせることにより、当該被検者の左眼又は右眼に眼底カメラ１の撮影光学系１２０の光軸を合わせる（アライメント）。
【０１２２】
眼底カメラ１は、ベース２上における架台３の位置（左右方向の位置）を検出し、その検出結果を接続線Ｌを介してコンピュータ３０に送信する。コンピュータ３０は、この検出信号を受信し、当該左右方向の位置に基づいて、被検眼Ｅが左眼であるか右眼であるかを判断する。そして、この判断結果を左眼／右眼表示部１００５に表示する。このとき、たとえば、左眼であると判断されたときには「Ｌ」を表示し、右眼であると判断されたときには「Ｒ」を表示する。
【０１２３】
（撮影画角の表示について）
撮影画角表示部１００６には、眼底カメラ１の変倍レンズ１２５の状態（撮影画角）が表示される。この撮影画角の取得方法を説明する。撮影画角は、眼底カメラ１の操作部１５をユーザが操作して変倍レンズ駆動部１６を動作させることによって設定される。眼底カメラ１は、この撮影画角の設定情報を接続線Ｌを介してコンピュータ３０に送信する。コンピュータ３０は、この設定情報に示す撮影画角を撮影画角表示部１００６に表示する。図１１では、撮影画角として「５０°」が表示されている。
【０１２４】
（照明光量の表示について）
照明光量表示部１００７には、眼底カメラ１に設定されている照明光量（撮影光量）が表示される。この照明光量の取得方法を説明する。照明光量は、眼底カメラ１の操作部１５に対する操作を受けた制御部１１が撮影光源１０３を制御することによって設定される。眼底カメラ１は、この照明光量の設定情報を接続線Ｌを介してコンピュータ３０に送信する。コンピュータ３０は、この設定情報に示す照明光量を照明光量表示部１００７に表示する。図１１では、撮影光量として「５０Ｗ・ｓ」が表示されている。
【０１２５】
なお、観察光源１０１を点灯させて眼底Ｅｆを観察する場合、撮影光源１０３の場合と同様にして、照明光量表示部１００７に観察光源１０１の照明光量を表示するように構成してもよい。
【０１２６】
（撮影情報の表示について）
撮影情報表示部１００８には、図１１に示すように、左眼／右眼情報、撮影画角、タイマ、撮影光量等の各種撮影情報が表示される。これらの情報は、上述した方法により取得される。
【０１２７】
（撮影種別リストの表示について）
表示画面１０００の右下位置には、撮影種別リスト１０１０が表示される。この撮影種別リスト１０１０は、被検者識別情報表示部１００３に識別情報が表示された被検者について現在実施可能な撮影種別（及びその撮影状態）のリストが表示される。一般に、眼科撮影においては、一人の被検者に対して複数の撮影種別を同時並行ですることがある。たとえば、ＦＡ撮影用（ＩＣＧ撮影用）の蛍光剤を静注しつつ、好適な撮影タイミングでＦＡ撮影（ＩＣＧ撮影）を行うとともに、それ以外のタイミングでカラー撮影を行うことがある。また、カラー撮影、ＦＡ撮影及びＩＣＧ撮影を同時並行で行う場合もある。
【０１２８】
なお、前述の使用形態（図１０のフローチャート参照）は、このような同時並行的な撮影においても好適に用いられる。すなわち、当該被検者に対する撮影種別を変更するとき（たとえばＦＡ撮影からカラー撮影に変更するとき）、光学フィルタを変更するだけで、眼底カメラ１が新たな撮影種別に対応する設定状態となり、コンピュータ３０の表示画面も新たな撮影種別用に切り替えられるからである。
【０１２９】
さて、撮影種別リスト１０１０には、表示欄「Ｃａｐｔｕｒｅ  Ｍｏｄｅ」、「Ｔｉｍｅｒ」、「Ｗ・ｓ」、「Ｓｈｏｔ」が設けられている。表示欄「Ｃａｐｔｕｒｅ  Ｍｏｄｅ」には、当該被検者に対して現在実施可能な撮影種別が表示される。表示欄「Ｔｉｍｅｒ」には、ＦＡ撮影やＩＣＧ撮影など、タイマで計時しつつ行う撮影種別についての計時時間が表示される。表示欄「Ｗ・ｓ」には照明光量が表示される。表示欄「Ｓｈｏｔ」には撮影枚数が表示される。
【０１３０】
撮影種別リスト１０１０においては、現に実施されている撮影種別は、撮影待ち状態の撮影種別と区別できるように表示される。たとえば、現に実施されている撮影種別のみを白黒反転させて表示するなどの方法が適用される。
【０１３１】
ユーザは、前述のように光学フィルタを変更することにより新たな撮影種別に移行できる他に、操作部１５を用いて撮影種別リスト１０１０中の所望の撮影種別を指定することによっても新たな撮影種別に移行できる。後者の場合、上記使用形態と同様に図７〜図９の関連情報３２ａ〜３２ｃを参照して、新たに指定された撮影種別に対応する撮影設定情報（撮像装置や設定）を取得し、その撮影設定情報を眼底カメラ１に送信して自動的に設定を行う。
【０１３２】
［作用・効果］
以上のような眼科撮影システムの作用及び効果について説明する。
【０１３３】
まず、この眼科撮影システムによれば、眼底カメラ１のフィルタ変更操作部３ｂや操作部１５が操作されたことに対応し、眼底カメラ１からコンピュータ３０に操作信号が送信される。コンピュータ３０は、この操作信号に基づいて表示部３３に情報を表示するように作用する。表示部３３に表示される情報としては、撮影種別情報や撮影設定情報などがある。
【０１３４】
このように作用する眼科撮影システムによれば、眼底カメラ１のフィルタ変更操作部３ｂや操作部１５を操作するだけで、当該操作に対応する情報が表示部３３に表示されるので、当該情報を表示させるためにコンピュータ３０を操作する必要がない。したがって、眼底カメラによる撮影作業を効率よく行うことができる。
【０１３５】
更に、この眼科撮影システムによれば、眼底カメラ１のフィルタ変更操作部３ｂや操作部１５を操作することにより、撮影種別の変更や眼底カメラ１の設定の変更を行うことができる。したがって、このような変更操作を行うためにコンピュータ３０を操作する必要がないため、撮影作業を効率よく行うことができる。
【０１３６】
また、新たな被検者の眼底撮影に移行するときに、コンピュータ３０にて被検者の変更操作を行う代わりに、眼底カメラ１の操作部１５を用いて変更操作を行うことができるので、撮影作業を効率よく行うことが可能である。
【０１３７】
なお、この実施形態では、コンピュータ３０と眼底カメラ１は、コンピュータ３０側の制御部３１より接続線Ｌを介して眼底カメラ１側の制御部１１を経由し、撮像装置９、１０の各種設定等の通信を行うようになっており、また、画像データについては、撮像装置９、１０から接続線Ｌ１、Ｌ２を介してコンピュータ３０に送るようになっているが、撮像装置９、１０の各種設定の通信は、直接に撮像装置９、１０に接続されている接続線Ｌ１、Ｌ２を介して行うように構成してもよい。それにより、眼底カメラ１の制御部１１に変更等を加えることなく、使用する撮像装置９、１０の変更や撮像装置９、１０の設定変更を行うことができる。
【０１３８】
［変形例］
以上において詳述した構成は、この発明に係る眼科撮影システムを好適に実施するための一具体例に過ぎない。したがって、たとえば以下に説明するような任意の変形を適宜に施すことが可能である。
【０１３９】
〔第１の変形例〕
上記の実施形態では、図７〜図９の関連情報３２ａ〜３２ｃに示すように、光学フィルタが指定されたことに対応して撮影設定情報（使用する撮像装置や設定）が一意的に関連付けられているが、この発明に係る眼科撮影システムは、これに限定されるものではない。
【０１４０】
たとえば、或る光学フィルタに対して二以上の撮影設定情報が関連付けられている場合について説明する。まず、コンピュータ３０は、この二以上の撮影設定情報を示す情報を眼底カメラ１に送信する。このとき送信される情報には、たとえば二以上の撮像装置の識別情報や、二以上の撮影感度、撮影画素数などが含まれる。
【０１４１】
眼底カメラ１は、この情報を受信し、当該二以上の撮影設定情報を表示部１４に表示する。ユーザは、操作部１５を操作して、所望の撮影設定状態を指定する。眼底カメラ１は、撮像装置９、１０を制御して、眼底カメラ１の各部を指定された設定に変更する。また、眼底カメラ１は、この指定結果をコンピュータ３０に送信する。コンピュータ３０は、上記の実施形態と同様に、受信した指定結果に基づいて表示部３３に情報を表示する。
【０１４２】
このような変形例によれば、光学フィルタに対して撮影設定情報が一意的に関連付けられていない場合であっても、眼底カメラ１を操作するだけで撮影種別や眼底カメラ１の設定を変更することができるので、撮影を効率的に行うことができる。
【０１４３】
〔第２の変形例〕
タイマを用いた撮影種別の検査を二つ以上同時並行して実施する場合について説明する。この変形例は、異なる撮影種別を同時並行的に実施するケース、同じ撮影種別を二人以上の被検者に対して同時並行的に実施するケース、及び、これらのケースを複合的に実施するケースを包含するものである。
【０１４４】
或る被検者に対して同時並行的に実施されている二以上の撮影種別は、上記の実施形態において説明したように、撮影種別リスト１０１０によって管理される。
【０１４５】
また、二人以上の被検者に対して同時並行的に検査を行っている場合に、ユーザが所定の操作を行うと、これらの検査を管理するための検査管理画面が表示部３３に表示される。図１１に示す表示画面１０００等の別の表示画面が表示されているときに当該操作を行うと、検査管理画面がポップアップ表示される（つまり、当該表示画面とは別ウィンドウの検査管理画面が重畳表示される）。
【０１４６】
図１２は、検査管理画面の一例を表している。同図に示す検査管理画面２０００には、現在同時並行で実施している各検査に関する情報がリスト表示されている。具体的に説明すると、検査管理画面２０００には、表示欄「ＩＤ」、「Ｆｉｒｓｔ  Ｎａｍｅ」、「Ｌａｓｔ  Ｎａｍｅ」、「ＤＢ＃」、「Ｃｏｌｏｒ」、「ＦＡ」、「ＩＣＧ」、「Ｇｒｅｅｎ」、「Ｂｌｕｅ」、「ＡｕｔｏＦｌ」が設けられている。
【０１４７】
表示欄「ＩＤ」には、各被検者の患者ＩＤが表示される。表示欄「Ｆｉｒｓｔ  Ｎａｍｅ」には、各被検者の名が表示される。表示欄「Ｌａｓｔ  Ｎａｍｅ」には、各被検者の姓が表示される。表示欄「ＤＢ＃」には、各検査の検査情報が保管されているデータベースの識別情報が表示される。表示欄「Ｃｏｌｏｒ」には、カラー撮影の実施の有無が表示される。表示欄「ＦＡ」には、ＦＡ撮影の実施の有無、そして実施している場合にはタイマの計時時間が表示される。表示欄「ＩＣＧ」には、ＩＣＧ撮影の実施の有無、そして実施している場合にはタイマの計時時間が表示される。表示欄「Ｇｒｅｅｎ」には、グリーンフィルタを使用した撮影の実施の有無が表示される。表示欄「Ｂｌｕｅ」には、ブルーフィルタを用いた撮影の実施の有無が表示される。表示欄「ＡｕｔｏＦｌ」には、自発蛍光撮影の実施の有無、そして実施している場合にはタイマの計時時間が表示される。
【０１４８】
このような検査管理画面２０００を用いることにより、同時並行的に実施している複数の検査を管理することができる。たとえば、図１２に示す表示内容は、三人の被検者に対して同時並行的に検査を行っていることを示している。また、この検査管理画面２０００を視認することにより、最初の被検者（ＩＤ「２２２−２２−２２２２」）に対して、ＦＡ撮影とＩＣＧ撮影を実施していることを把握できる。更に、ＦＡ撮影の計時時間が４分４０秒であり、ＩＣＧ撮影の計時時間が３分５３秒であることも把握できる。他の被検者についても同様に、実施している撮影種別及びタイマの経過時間を把握することができる。
【０１４９】
なお、図示は省略するが、眼底カメラ１の表示部１４には、現に実施中の検査に関わるタイマの計時時間が表示されるようになっている。なお、現に実施中の検査の計時時間をコンピュータ３０のタイマで取得することもできるが、撮影信号を眼底カメラ１からコンピュータ３０に送信するのに数秒程度の時間が掛かるために、実際の撮影タイミングと計時時間との間に差が生じるおそれがある。したがって、現に実施中の検査に関わる計時は、眼底カメラ１側で行うことが望ましい。
【０１５０】
続いて、各撮影種別に関するタイマの計時態様について説明する。一般に、眼科撮影システムにおいては、眼底カメラ側のタイマは単一の時間のみ計時でき、コンピュータ側のタイマは複数の時間を同時並行で計時することができる。当該変形例においては、コンピュータ３０のタイマは、検査管理画面２０００に表示された複数の検査に関わる計時をそれぞれ実行する。一方、眼底カメラ１のタイマは、これら複数の検査のうちの一つの検査（現に実行中の検査）に関わる計時のみを実行する。以下、このような処理の具体例を説明する。
【０１５１】
コンピュータ３０は、各被検者毎に各撮影種別の検査（計時を伴うもの）の計時時間を管理している。同時並行的に実施されている複数の検査の一つが終了すると、ユーザは、次に実施する検査を指定する。この指定操作は、コンピュータ３０側で行うこともできるが、眼底カメラ１の操作部１５により行うことが望ましい。このとき、表示部１４に表示された検査のリストから指定するように構成してもよいし、コンピュータ３０側に表示されたリスト（検査管理画面２０００）から操作部１５を操作により指定するようにしてもよい。
【０１５２】
新たな検査が指定されると、上記の実施形態と同様にして、眼底カメラ１の設定が、この新たな検査の撮影種別に応じた設定に変更される。
【０１５３】
また、新たな検査が指定されたことに対応し、眼底カメラ１は、指定された検査を示す情報をコンピュータ３０に送信する。なお、コンピュータ３０側にて指定操作を行った場合、この送信処理は不要である。コンピュータ３０は、（眼底カメラ１からの情報に示す）指定された検査に関わる計時時間を取得し、眼底カメラ１に送信する。眼底カメラ１のタイマは、この計時時間から計時を開始する。
【０１５４】
このような処理を実行することにより、同時並行的に実施している各検査について、各画像の撮影タイミングを示す計時時間を精度よく取得することができる。
【０１５５】
〔その他の変形例〕
上記実施形態では、眼底カメラとコンピュータとを含む眼科撮影システムについて説明したが、眼底カメラ以外の眼科撮影装置（たとえばスリットランプ、ＯＣＴ等）とコンピュータとを含む眼科撮影システムについても、上記実施形態と同様の構成を適用することが可能である。
【図面の簡単な説明】
【０１５６】
【図１】この発明に係る眼科撮影システムの好適な実施形態の全体構成の一例を表す概略ブロック図である。
【図２】この発明に係る眼科撮影システムの好適な実施形態における眼底カメラの外観構成の一例を表す概略側面図である。
【図３】この発明に係る眼科撮影システムの好適な実施形態における眼底カメラの光学系の構成の一例を表す概略側面図である。
【図４】この発明に係る眼科撮影システムの好適な実施形態における眼底カメラの光学系の構成の一例を表す概略側面図である。
【図５】この発明に係る眼科撮影システムの好適な実施形態における眼底カメラの光学系の構成の一例を表す概略側面図である。
【図６】この発明に係る眼科撮影システムの好適な実施形態におけるコンピュータのハードウェア構成の一例を表す概略ブロック図である。
【図７】この発明に係る眼科撮影システムの好適な実施形態におけるコンピュータに記憶された関連情報の態様の一例を表す概略図である。
【図８】この発明に係る眼科撮影システムの好適な実施形態におけるコンピュータに記憶された関連情報の態様の一例を表す概略図である。
【図９】この発明に係る眼科撮影システムの好適な実施形態におけるコンピュータに記憶された関連情報の態様の一例を表す概略図である。
【図１０】この発明に係る眼科撮影システムの好適な実施形態による使用形態の一例を表すフローチャートである。
【図１１】この発明に係る眼科撮影システムの好適な実施形態によって表示される画面の一例を表す概略図である。
【図１２】この発明に係る眼科撮影システムの好適な実施形態によって表示される画面の一例を表す概略図である。
【符号の説明】
【０１５７】
１  眼底カメラ
３ａ  操作パネル
３ｂ  フィルタ変更操作部
９、１０  撮像装置
９ａ、１０ａ  撮像素子
１１  制御部
１２  記憶部
１３  通信部
１４  表示部
１５  操作部
１６  変倍レンズ駆動部
１７  フォーカスレンズ駆動部
１００  照明光学系
１０１  観察光源
１０３  撮影光源
１０５  フィルタ部
１０５ａ〜１０５ｈ  光学フィルタ
１２０  撮影光学系
１２２  フィルタ部
１２２ａ〜１２２ｈ  光学フィルタ
１２４  フォーカスレンズ
１２５  変倍レンズ
３０  コンピュータ
３１  制御部
３２  情報記憶部
３２ａ、３２ｂ、３２ｃ  関連情報
３３  表示部
３４  操作部
３５  画像データ記憶部
４１  マイクロプロセッサ
４２  主記憶装置
４３  外部記憶装置
４４  画像記憶装置
４５  表示デバイス
４６  操作デバイス
４７  通信インターフェイス
１０００  表示画面
１００１  サムネイル表示部
１００２  画像表示部
１００３  被検者識別情報表示部
１００４  撮影種別表示部
１００５  左眼／右眼表示部
１００６  撮影画角表示部
１００７  照明光量表示部
１００８  撮影情報表示部
２０００  検査管理画面
Ｌ、Ｌ１、Ｌ２  接続線
【図１】
2008035944.tif 000003
【図２】
2008035944.tif 000004
【図３】
2008035944.tif 000005
【図４】
2008035944.tif 000006
【図５】
2008035944.tif 000007
【図６】
2008035944.tif 000008
【図７】
2008035944.tif 000009
【図８】
2008035944.tif 000010
【図９】
2008035944.tif 000011
【図１０】
2008035944.tif 000012
【図１１】
2008035944.tif 000013
【図１２】
2008035944.tif 000014